(57)【特許請求の範囲】
【請求項１】
引戸の戸厚よりも狭幅で引戸の開閉方向にわたる長尺状を呈し引戸の上端面または下端面に掘込して取付けされる掘込ベースを備え、掘込ベースには、掘込ベースの内部の両端部に水平に対設される複数のプーリと、複数のプーリに掛け渡される無端条体と、無端条体に固定され隣接する引戸に係合されるスライダとが一体組付けされ、さらに隣接する引戸にはスライダに係合するガイド受け部材を設けて組み合わせされ、ガイド受け部材にはスライダのスライドを許容する逃げ部が構成されていることを特徴とする連動引戸装置。
【発明の詳細な説明】
【０００１】
【発明の属する技術分野】
本発明は、複数の引戸を連動させる連動引戸装置に関する。
【０００２】
【従来の技術】
この種の従来の連動引戸装置としては、例えば特許第３０３５２２４号公報に開示される三連式引戸に記載されたものがある。この三連式引戸では、中央の戸の上部にワイヤを架けられたプーリとワイヤに固定された連結部とからなる連動機構を設け、連結部は突起を備え、突起を隣接する２枚の戸の凹部に嵌合させて連動するものである。
【０００３】
また、実公昭５８−３３３５４号公報に開示される連動引戸に記載されたものは、中央の戸の上部に伝動部材が架けられた回転子と伝動部材に固着された固着具とからなる連動機構を設け、隣接する２枚の戸の上縁部を固着具で固着して、連動するものである。
【０００４】
また、特開平１−１６５８９４号公報に開示される吊戸の連動装置に記載されたものは、薄壁側の戸の上部にロープを架けられた一対の滑車とロープに固着された継手とからなる連動機構を設け、隣接する戸の端面及び薄壁の縦枠（方立）を継手で固着して、連動するものである。
【０００５】
なお、上記の従来の各連動装置は、引戸を全閉にしたときの引戸の重なり代は、戸枠に規制されなければ（間口が十分に広ければ）継手が滑車に当接した状態で最も小さな値となる。
【０００６】
【発明が解決しようとする課題】
ここで、特許第３０３５２２４号公報に開示される三連式引戸の連動機構は、連結部の突起が凹部とほとんど隙間なく嵌合し、３枚の引戸の全開時に３枚の引戸の戸端を揃えるために凹部は引戸の端部から所定の距離を有して設ける必要があり、全閉時の引戸の重なり代は、連結部がプーリに当接した状態でもかなり大きなものとなって、開口部が狭くなるという問題があった。
【０００７】
また、特許第３０３５２２４号公報及び特開平１−１６５８９４号公報の連動機構は、連動機構が引戸の上部に見えてしまい、外観を損ねるという問題もあった。
【０００８】
また、実公昭５８−３３３５４号公報に開示される連動引戸の連動機構は、隣接する２枚の戸の上縁部を上枠内で、固着具により伝動部材と固着するので、組立の作業性が悪いという問題があった。
【０００９】
また、特開平１−１６５８９４号公報に開示される連動引戸は、上部にランナー部材と連動機構が共に設けられるので、構造が複雑になり、その結果、高価な装置になるという問題があった。
【００１０】
本発明は、このような問題点を考慮してなされたもので、全閉時の引戸の重なり代を小さくして開口部を広くした連動引戸装置を提供することを課題とする。
【００１１】
加えて、連動機構が見えないようにして外観を損なわない連動引戸装置を提供することを課題とする。
【００１２】
【課題を解決するための手段】
前述の課題を解決するため、本発明に係る連動引戸装置は、次のような手段を採用する。
【００１５】
即ち、引戸の戸厚よりも狭幅で引戸の開閉方向にわたる長尺状を呈し引戸の上端面または下端面に掘込して取付けされる掘込ベースを備え、掘込ベースには、掘込ベースの内部の両端部に水平に対設される複数のプーリと、複数のプーリに掛け渡される無端条体と、無端条体に固定され隣接する引戸に係合されるスライダとが一体組付けされ、さらに隣接する引戸にはスライダに係合するガイド受け部材を設けて組み合わせされ、ガイド受け部材にはスライダのスライドを許容する逃げ部が構成されていることを特徴とする。
【００１６】
この手段では、スライダにガイド受け部材が組み合わせされて、引戸の開閉時に、ガイド受け部材に設けられた逃げ部にスライダがスライドしていることで、全閉時の引戸の重なり代が小さくされる。また、引戸の上端面または下端面に堀込ベースが埋込されてプーリとスライダが一体組付されているので、引戸に隠れて装着される。
【００１８】
また、ガイド受け部材に設けられた逃げ部にスライダがスライドすることで全閉時の引戸の重なり代が小さくされる。
【００１９】
【発明の実施の形態】
以下、本発明に係る連動引戸装置について、その実施の形態を図面に基づいて説明する。
【００２０】
図１〜図６は、本発明に係る連動引戸装置の実施の形態（１）を示すものである。
【００２１】
この実施の形態における連動引戸装置１００は、引戸１ａの下端面１ｄに取付けられ、隣接する引戸１ｂに係合して連動開閉するためのものであり、引戸１ａ、１ｂの上部のランナー部材Ｒ１、Ｒ２で引戸を吊り、下部をガイドする上吊り式の引戸を連動可能とするものである。
【００２２】
連動引戸装置１００は、掘込ベース２と、複数のプーリ３と、無端条体４と、スライダ５（５ａ、５ｂ）とが一体組付けされて引戸１ａに取付けられたものであり、さらに、隣接する引戸１ｂにガイド受け部材５５を備えている。
【００２３】
掘込ベース２は、引戸１ａの戸厚ｔよりも狭幅Ｗで、引戸１ａの開閉方向にわたる長尺状を呈し、引戸１ａの下端面１ｄに掘込して、複数のビス２４で引戸１ａに取付けされている。また、掘込ベース２は、断面視略々コ字状を呈しており、基部２１と対の脚部２２とを備えている。さらに、掘込ベースの基部２１には、後述する取付ベース６の基部側へ突出するスペーサ２３を備えている。このスペーサ２３には、突起部２３ａが引戸１ａの開閉方向にわたって設けられ、スライダ５の抜け止め機能をなしている。
【００２４】
プーリ３は、戸厚ｔよりも小径で、掘込ベース２の内部の両端部に水平に対設される複数（２個）の円盤状部材であり、円盤の外周部に無端条体４が架け渡される溝３１を有している。プーリ３が戸厚ｔよりも小径であるので、引戸１ｂの開閉に際して、スライダ５ｂが小径なプーリ３に応じてプーリ３に接近し、より引戸１ａの端部に移動可能になる構成である。
【００２５】
無端条体４は、複数（２個）のプーリ３の間に掛け渡されるワイヤまたはベルトであり、たるみやスリップを生じないように適度な張力を与えられて取付けられている。また、スライダ５（５ａ、５ｂ）を無端条体４に固定するための固定片４１が２個固着されている。
【００２６】
スライダ５ｂは、無端条体４に固定され、隣接する引戸１ｂに係合されるものであり、スライダ５ａは、固定面である床面Ｆに木ねじ７２で固定されたガイドレール７に係合されるものとなっている。また、スライダ５（５ａ、５ｂ）は、堀込みベース２内を摺動する摺動部５３と、摺動部５３から直角に折れ曲がり水平方向に延びる連結片５２と、隣接する折戸１ｂと係合する係合片５１とからなる。
【００２７】
なお、スライダ５ａは係合溝５７を有し、ガイドレール７のガイド片７３と係合しているが、このスライダ５ａとガイドレール７の係合では、雌雄を逆にすることは容易に可能である。同様に、スライダ５ｂは係止片５１を有し、ガイド受け部材５５の係合溝５５１と係合しているが、この係合も雌雄を逆にすることは容易に可能である。
【００２８】
また、この実施の形態（１）では引戸は２つとしているが、３連の引戸の場合は、スライダ５ａが衝立１ｃの位置に設けられる引戸に係合されるものとなる。また、摺動部５３に設けた溝５４に無端条体４上の固定片４１、４１が嵌合し、溝５４の両側に延びる細溝５４ａをワイヤが通ることによりスライダ５（５ｂ）の無端条体４への固定が行われる。また、摺動部５３に抜け止め用の溝５６が設けられ、掘込ベース２のスペーサ２３の突起部２３ａと嵌合している。
【００２９】
ガイド受け部材５５は、隣接する引戸１ｂに取付けされてスライダ５ｂに係合するものである。ガイド受け部材５５は、スライダ５ｂの係合片５１と嵌合する係合溝５５１を備え、木ねじ５５２で引戸１ｂに固定されている。
【００３０】
また、ガイド受け部材５５にはスライダ５ｂのスライドを許容する逃げ部（逃げ溝）５８が構成されている。すなわち、ガイド受け部材５５の引戸走向方向の内寸法Ｌ２がスライダ５ｂの引戸走向方向の内寸法Ｌ１より長さＳだけ大きい。これにより、引戸１ｂの開閉に際して、スライダ５ｂがガイド受け部材５５との間の逃げ部５８に進入した状態となっている。これは、図４（下方から見た図で全閉状態を示している）に示すように、引戸１ｂを閉じ方向（右方向）に引くことで、初めにスライダ５ｂがガイド受け部材５５との間の逃げ部（逃げ溝）５８に進入される。そして、ガイド受け部材５５の逃げ溝５８の端部５８１で係合片５１の端部５１１を引いてスライダ５ｂを閉じ方向（右方向）へ移動させ、右側のプーリ３（３ａ）に当接するまで移動可能となる。
【００３１】
そして、プーリ３の外径に応じて接近される度合い（移動限界）が決まり、小径なプーリ３により、引戸１ａの端部に近くまで移動可能になる構成である。
【００３２】
なお、掘込ベース２よりも狭幅Ｂで断面視略々コ字状を呈し、掘込ベース２の内部に固着されて長尺状を呈する取付ベース６を備えることもできる。
【００３３】
取付ベース６は、プーリ固定軸部材３２により、プーリ３を挟み込んで掘込ベース２に設けられたねじ孔２５に取付けられる。また、取付ベース６のコ字状内部６１には引戸１ａをガイドするガイドレール７の案内空間７１が構成されている。
【００３４】
また、掘込ベース２と取付ベース６とには、無端条体４を回転自在に掛け渡す複数（２個）のプーリ３の収納空間８と、無端条体４に固定されて移動するスライダ５の案内空間８１がコ字状空間として構成される。また、掘込ベース２の基部２１のスペーサ２３と取付ベース６の基部６２との間には、プーリ３が水平方向に回転自在に設けられ、掘込ベース２の脚部２２に対してスペーサ２３と取付ベース６の脚部６３とでスライダ５の案内空間８１を縦長に仕切るようになっている。
【００３５】
以上の構成による連動引戸装置１００の作動について、以下に説明する。
【００３６】
図５は、連動引戸装置１００を上から見た図で、図５（ａ）の全開状態から引戸１ｂを閉じ方向へ動かすと、引戸１ｂのガイド受け部材５５の移動に伴い、初めにスライダ５ｂがガイド受け部材５５との間の逃げ溝５８に進入する。そして、係合溝５５１に嵌合されて引戸１ａに設けられたスライダ５ｂの係合片５１も閉じ方向（矢印Ａ方向）へ移動する。スライダ５ｂに作用する力は、スライダ５ｂに固着された無端条体４をＡ方向に動かそうとする。ここで、もう一方のスライダ５ａは床面Ｆに固定されたガイドレール７に係合しており、スライダ５ａは動くことができないので、スライダ５ａの位置は変化せず、無端条体４及びプーリ３１ａ、３１ｂが矢印Ｃ、矢印Ｄの方向に回転することになる。これにより、引戸１ａは無端条体４に引っ張られて閉じ方向（Ａ方向）に進むことになる。引戸１ａが進む速度及び移動距離は引戸１ｂの速度及び移動距離の１／２となり、引戸１ａは全閉位置まで引戸１ｂを動かすのみで、全閉状態とすることができる。
【００３７】
図５（ｂ）の全閉状態から引戸を開くときは、前述の閉じる動きとほぼ逆の作動となる。すなわち、引戸１ｂを開く方向（Ａ’方向）へ動かすと、初めにスライダ５ｂがガイド受け部材５５との間の逃げ溝５８に進入される（図４で、引戸１ｂを左方向に動かした場合と同じ状態）。そして、連動引戸装置１００によりスライダ５ｂに設けられた係合片５１が引戸１ａを動かそうとし、無端条体４及びプーリ３１ａ、３１ｂが矢印Ｃ’、矢印Ｄ’の方向に回転して、引戸１ａは開き方向へ動くようになる。したがって、引戸１ｂを全開位置まで動かすのみで、引戸１ａを全開状態とすることができる。
【００３８】
ここで、従来の連動引戸装置のように、ガイド受け部材５５に逃げ溝５８が無い場合は、２枚の引戸を全開にした際に、２枚の引戸１ａ、１ｂ及び衝立１ｃの端を揃えるために、プーリ３（３ａ、３ｂ）に当接するスライダ５ｂの位置（スライダ５ｂの端面５１１）と引戸１ｂの端面１ｅとの距離Ｌ３を設ける必要がある（図６参照）。一方、連動引戸装置１００の場合は、ガイド受け部材５５に逃げ溝５８の長さＳの分だけスライドが許容されているので、逃げ溝５８の長さＳの分だけスライドして２枚の引戸１ａ、１ｂ及び衝立１ｃの端を揃えることが可能となる。すなわち、ガイド受け部材５５に逃げ溝５８が無い場合に比べ、図４に示すように、引戸１ａ、１ｂを全閉にしたときの引戸の重なり代Ｌを逃げ溝５８の長さＳの分だけ小さくできる。
【００３９】
この実施の形態（１）によれば、戸厚ｔより小径なプーリ３と、無端条体４と、スライダ５（５ａ、５ｂ）と、ガイド受け部材５５とを備え、引戸１ｂの開閉時にスライダ５ｂがガイド受け部材５５との間の逃げ部５８に進入し、同時にスライダ５ｂは小径なプーリ３に応じて接近するので、引戸１ａ、１ｂを全閉にしたときの引戸の重なり代Ｌを小さくできる。
【００４０】
したがって、同じ間口寸法であれば、従来のものに比べ、引戸の重なり代Ｌが小さい分（Ｓ）だけ開口部を広く取ることができる。また、同じ間口寸法を取れば従来のものに比べ、引戸の重なり代Ｌが小さい分（Ｓ）だけ引戸の引き込み代を少なくすることができ、引戸の設置スペースを少なくすることができる。
【００４１】
また、引戸１ａの下端面に掘込して取付けられた掘込ベース２に、プーリ３と、無端条体４と、スライダ５（５ａ、５ｂ）を一体組付けし、さらに隣接する引戸１ｂにガイド受け部材５５を組み合わせ、ガイド受け部材５５には逃げ部５８を設けているので、引戸１ｂの開閉時にスライダ５ｂがガイド受け部材５５の逃げ部５８に進入し、引戸１ａ、１ｂを全閉にしたときの引戸の重なり代Ｌを小さくできる。
また、この連動引戸装置１００は、引戸１ａの下端面に掘込して取付けされる形状なので、引戸１ａの外部から見えない構造にできる。
【００４２】
図７〜８は、本発明に係る実施の形態（２）を示すものである。
【００４３】
この実施の形態における連動引戸装置２００は、下戸車式の引戸に対して適用するものであり、実施の形態（１）の連動引戸装置１００をそっくり引戸の上部に持ってきたものである。
【００４４】
すなわち、引戸１ａ、１ｂの下部には、戸車９と、戸車９が走行するレール９１と、戸車９の調整機構９２などが設けられて支持され、上枠Ｕをガイドレール７として、上部に連動引戸装置２００が設けられているものである。
【００４５】
この実施の形態の連動引戸装置２００によれば、実施の形態（１）と同様の作用、効果が奏される。また、下戸車式の引戸に対しても上吊り式の引戸と同じユニットが使用でき、汎用性が高められる。その結果、安価な連動引戸装置とすることができる。
【００４６】
図９は、本発明に係る実施の形態（３）を示すものである。
【００４７】
この実施の形態における連動引戸装置３００は、実施の形態（２）と同じ下戸車式の引戸であるが、ドア枠１ｃにかぶせて取付ける引戸１ａ、１ｂに対して適用するものであり、実施の形態（１）の連動引戸装置１００をそっくり引戸の上部に持ってきたものである。ここで、引戸１ａ、１ｂの上部にはガイドレールＧが壁面Ｋに取付けられ水平に張り出して設けられ、ガイドレール７がボルト、ナットで固定されている。また、隣接する引戸１ｂの上部には、ガイドローラ７４が設けられ、ガイドレールＧのレール溝７５にガイドされている。
【００４８】
この実施の形態（３）の連動引戸装置３００によれば、実施の形態（１）と同様の作用、効果が奏される。また、外付け式の引戸に対しても上吊り式の引戸と同じユニットが使用でき、汎用性が高められる。その結果、安価な連動引戸装置とすることができる。
【００４９】
図１０は、本発明に係る実施の形態（４）を示すものである。
【００５０】
この実施の形態では、連動引戸装置は実施の形態（１）〜（３）のどれでもよく、引戸１ｂの走向方向の長さ（幅）を引戸１ａや衝立１ｃの幅よりも少し長くして、引き残しＨを与えたものである。
【００５１】
この実施の形態（４）によれば、実施の形態（１）と同様の作用、効果が奏されることに加え、引戸を全開状態から閉じ始める際に、引き残しＨにより取手などに手を掛けるのが容易となる。
【００５２】
なお、各実施の形態では、引戸は２枚としているが、引戸を３連の連動式にすることは、衝立１ｃの位置に３枚目の引戸を設け、スライダ５ａを３枚目の引戸に係合されることで容易に可能となる。
【００５３】
【発明の効果】
以上のように、本発明に係る連動引戸装置は、引戸の開閉時にスライダがガイド受け部材との間の逃げ部に進入し、同時にスライダは小径なプーリに応じてプーリに接近するので、引戸を全閉にしたときの引戸の重なり代を小さくできるという効果がある。これにより、同じ間口寸法であれば、従来のものに比べ、引戸の重なり代が小さい分だけ開口部を広く取ることができる。また、同じ間口寸法を取れば従来のものに比べ、引戸の重なり代Ｌが小さい分だけ引戸の引き込み代を少なくすることができ、引戸の設置スペースを少なくすることができる。
【００５４】
また、本発明に係る連動引戸装置は、引戸を全閉にしたときの引戸の重なり代を小さくできることに加え、引戸の上端面または下端面に堀込ベースを掘込してプーリとスライダが一体組付される形状なので、引戸の外部から見えない構造にでき、また、組付が簡単になるという効果がある。
【図面の簡単な説明】
【図１】  本発明に係る連動引戸装置の実施の形態（１）を示す斜視図である。
【図２】  本発明に係る連動引戸装置の実施の形態（１）を示す横断面図である。
【図３】  本発明に係る連動引戸装置の実施の形態（１）を示す分解斜視図である。
【図４】  本発明に係る連動引戸装置の実施の形態（１）を示す下面図である。
【図５】  本発明に係る連動引戸装置の実施の形態（１）を示す平面である。（ａ）は全開状態、（ｂ）は全閉状態を示す。
【図６】  本発明に係る連動引戸装置の実施の形態（１）を示す下面図である。
【図７】  本発明に係る連動引戸装置の実施の形態（２）を示す横断面図である。
【図８】  本発明に係る連動引戸装置の実施の形態（２）を示す斜視図である。
【図９】  本発明に係る連動引戸装置の実施の形態（３）を示す横断面図である。
【図１０】  本発明に係る連動引戸装置の実施の形態（４）を示す平面図である。（ａ）は全開状態、（ｂ）は全閉状態を示す。
【符号の説明】
１ａ              引戸
１ｂ              引戸
１ｃ              衝立
１ｄ              下端面
２                堀込ベース
３                プーリ
４                無端条体
５（５ａ、５ｂ）  スライダ
６                取付ベース
７                ガイドレール
８                収納空間
９                戸車
２１              基部
２２              脚部
２３              スペーサ
３１              溝
３２              プーリ固定軸部材
５１              係合片
５２              連結片
５３              摺動部
５４              溝
５５              ガイド受け部材
５８              逃げ部（逃げ溝）
６１              コ字状内部
６２              基部
６３              脚部
７１              案内空間
８１              案内空間
９１              レール
１００、２００、３００  連動引戸装置
５５１            係合溝
Ｌ                重なり代
ｔ                戸厚
【図１】
0004638632.tif 000002
【図２】
0004638632.tif 000003
【図３】
0004638632.tif 000004
【図４】
0004638632.tif 000005
【図５】
0004638632.tif 000006
【図６】
0004638632.tif 000007
【図７】
0004638632.tif 000008
【図８】
0004638632.tif 000009
【図９】
0004638632.tif 000010
【図１０】
0004638632.tif 000011